(57)【要約】【課題】表示画面上の表示を煩雑にすることなく、アイコンの持つ機能の詳細な説明の表示を実現する。【解決手段】画像形成装置１は、表示画面への物体の近接及び接触を検知するタッチパネル機能を備えた表示部４７３と、アイコンが複数配置された操作画像を表示画面に表示する表示制御部１０１と、タッチパネル機能を用いたユーザーからの操作を受け付ける操作受付部１０２と、操作受付部１０２がアイコンの持つ機能の実行を指示するユーザー操作を受け付けると、当該機能を実行する制御部１００とを備える。表示制御部１０１は、操作受付部１０２が表示画面に表示されているアイコンへ物体を近接させるユーザー操作を受け付けてから、当該近接した状態が予め定められた時間継続すると、当該アイコン及び当該アイコンの持つ機能を説明する説明文を有する説明画像を表示画面の全体に表示する。【選択図】図１
2018206072.tif 000002
【特許請求の範囲】
【請求項１】
表示画面への物体の近接及び接触を検知するタッチパネル機能を備えた表示部と、
アイコンが複数配置された操作画像を前記表示画面に表示する表示制御部と、
前記タッチパネル機能によりユーザーからの操作を受け付ける操作受付部と、
前記操作受付部が前記アイコンに対応付けられた機能の実行を指示するユーザー操作を受け付けると、当該機能を実行する制御部と、を備え、
前記表示制御部は、前記操作受付部が前記表示画面に表示されているアイコンへ物体を近接させるユーザー操作を受け付けてから、当該近接した状態が予め定められた時間継続すると、当該アイコン及び当該アイコンに対応付けられた機能の説明を有する説明画像を前記表示画面の全体に表示する表示装置。
【請求項２】
前記表示制御部は、前記ユーザー操作を受け付けた時に前記表示画面に表示されていた前記操作画像を透過表示にして、当該操作画像と前記説明画像とを前記表示画面に同時に表示させる請求項１に記載の表示装置。
【請求項３】
前記操作受付部は、前記説明画像を表示する前記表示画面の表示時に、当該表示画面による前記説明画像に対応するアイコンとは別のアイコン及び当該アイコンに対応付けられた機能の説明を有する説明画像への表示切り換えを指示するユーザー操作を受け付け、
前記表示制御部は、前記操作受付部が前記別のアイコン及び前記別のアイコンに対応付けられた機能の説明を有する説明画像への表示切り換えを指示するユーザー操作を受け付けたときに、当該説明画像に表示を切り換える請求項１又は請求項２に記載の表示装置。
【請求項４】
前記表示制御部は、切り換え先となるアイコンを示す画像を有する前記説明画像を、前記表示画面に表示する請求項３に記載の表示装置。
【請求項５】
前記操作受付部は、前記表示切り換えを指示するユーザー操作として、前記説明画像に物体を近接させた状態で、当該物体を空中でスライド移動させる操作を受け付け、
前記表示制御部は、前記操作受付部が当該物体を空中でスライド移動させるユーザー操作を受け付けると、前記スライド移動の方向に対応付けられた別のアイコン及び当該別のアイコンに対応付けられた機能の説明を有する説明画像に表示を切り換える請求項３又は請求項４に記載の表示装置。
【請求項６】
前記操作受付部は、前記表示切り換えを指示するユーザー操作として、前記説明画像へ物体を接触させたまま移動させる操作を受け付け、
前記表示制御部は、前記操作受付部が前記説明画像へ物体を接触させたまま移動させるユーザー操作を受け付けると、前記スライド移動の方向に対応付けられた別のアイコン及び当該別のアイコンに対応付けられた機能の説明を有する説明画像に表示を切り換える請求項３又は請求項４に記載の表示装置。
【請求項７】
前記表示制御部は、前記説明画像の順方向への表示の切り換えを指示する第１指示ボタン及び前記説明画像の当該順方向とは逆方向への表示の切り換えを指示する第２指示ボタンを有する前記説明画像を前記表示画面に表示し、
前記操作受付部は、前記表示切り換えを指示するユーザー操作として、前記第１指示ボタン又は前記第２指示ボタンへ物体を接触させる操作を受け付け、
更に、前記表示制御部は、
前記操作受付部が前記第１指示ボタンへ物体を接触させるユーザー操作を受け付けると、前記表示部の表示を、前記順方向に対応付けられた前記説明画像に切り換え、
前記操作受付部が前記第２指示ボタンへ物体を接触させるユーザー操作を受け付けると、前記表示部の表示を、前記逆方向に対応付けられた前記説明画像に切り換える請求項３又は請求項４に記載の表示装置。
【請求項８】
前記制御部は、前記説明画像が前記表示画面に表示されている状態において、前記操作受付部が前記説明画像において表示しているアイコンに対する予め定められた第１操作を受け付けたとき、当該アイコンに対応付けられた機能を実行し、
前記表示制御部は、前記操作受付部が前記説明画像において表示しているアイコンに対する予め定められた第２操作を受け付けたとき、前記表示画面の表示を当該アイコンが配置された前記操作画像に切り換えると共に、当該切り換えの過程をアニメーション表示させ、前記制御部は、前記表示制御部による当該切り換えの完了後、当該アイコンに対応付けられた機能を実行する請求項３乃至請求項７のいずれかに記載の表示装置。
【請求項９】
物体の近接及び接触を検知するタッチパネル機能を備えた表示部の表示画面にアイコンが複数配置された操作画像を表示する表示制御部と、
前記タッチパネル機能によりユーザーからの操作を受け付ける操作受付部と、
前記操作受付部が前記アイコンに対応付けられた機能の実行を指示するユーザー操作を受け付けると、当該機能を実行する制御部として、コンピューターを機能させ、
更に、前記表示制御部は、前記操作受付部が前記表示画面に表示されているアイコンへ物体を近接させるユーザー操作を受け付けてから、当該近接した状態が予め定められた時間継続すると、当該アイコン及び当該アイコンに対応付けられた機能の説明を有する説明画像を前記表示画面の全体に表示するように、前記コンピューターを機能させる表示制御プログラム。
【発明の詳細な説明】
【技術分野】
【０００１】
本発明は、表示装置及び表示制御プログラムに関し、特に、表示部の表示画面にアイコンを表示させる技術に関する。
【背景技術】
【０００２】
下記の特許文献１に、アイコンの配置された操作画像が表示される表示画面への物体（例えば、ユーザーの指）の近接が検出されると、物体が近接した位置の周辺に表示されているアイコンの持つ機能を説明するための説明文を当該操作画像に重ねて表示することが記載されている。これにより、アイコンの持つ機能をユーザーは知ることが可能となる。
【先行技術文献】
【特許文献】
【０００３】
【特許文献１】特開２０１２−１３３５２３号公報
【発明の概要】
【発明が解決しようとする課題】
【０００４】
上記の特許文献１には、アイコンの持つ機能を説明するための説明文を表示することが記載されているが、説明文を操作画像の一部に重ねて表示するため、説明文を表示する領域が比較的狭くなる。そのため、アイコンの持つ機能を詳細に説明することが難しい。特に、複数の選択肢と関連付けられているアイコンの機能は説明も多くなるため、狭い領域で説明するのは難しい。もし仮に、説明できたとしても、表示部の表示画面上の表示が煩雑になるおそれがある。
【０００５】
本発明は、上記の事情に鑑みなされたものであり、表示部の表示画面上の表示が煩雑になることなく、アイコンの持つ機能の適切な説明の表示を実現することを目的とする。
【課題を解決するための手段】
【０００６】
本発明の一局面に係る表示装置は、表示画面への物体の近接及び接触を検知するタッチパネル機能を備えた表示部と、アイコンが複数配置された操作画像を前記表示画面に表示する表示制御部と、前記タッチパネル機能によりユーザーからの操作を受け付ける操作受付部と、前記操作受付部が前記アイコンに対応付けられた機能の実行を指示するユーザー操作を受け付けると、当該機能を実行する制御部と、を備え、前記表示制御部は、前記操作受付部が前記表示画面に表示されているアイコンへ物体を近接させるユーザー操作を受け付けてから、当該近接した状態が予め定められた時間継続すると、当該アイコン及び当該アイコンに対応付けられた機能の説明を有する説明画像を前記表示画面の全体に表示する。
【０００７】
また、本発明の一局面に係る表示制御プログラムは、物体の近接及び接触を検知するタッチパネル機能を備えた表示部の表示画面にアイコンが複数配置された操作画像を表示する表示制御部と、前記タッチパネル機能によりユーザーからの操作を受け付ける操作受付部と、前記操作受付部が前記アイコンに対応付けられた機能の実行を指示するユーザー操作を受け付けると、当該機能を実行する制御部として、コンピューターを機能させ、更に、前記表示制御部は、前記操作受付部が前記表示画面に表示されているアイコンへ物体を近接させるユーザー操作を受け付けてから、当該近接した状態が予め定められた時間継続すると、当該アイコン及び当該アイコンに対応付けられた機能の説明を有する説明画像を前記表示画面の全体に表示するように、前記コンピューターを機能させる。
【発明の効果】
【０００８】
本発明によれば、アイコンの持つ機能を説明する説明文を有する説明画像が表示画面の全体に表示されるので、説明文を表示する領域は比較的広い。そのため、表示画面上の表示が煩雑になることなく、アイコンの持つ機能の詳細な説明を実現することが可能となる。また、アイコンへ物体（例えば、ユーザーの指）を近接させる度に、説明画像への表示切り換えが行われると、使い慣れたユーザーは煩わしいと感じる可能性があるが、当該表示切り換えは、アイコンへ物体を近接させるだけではなく、当該近接した状態を予め定められた時間継続させたときに行われるので、当該表示切り換えによってユーザーが煩わしさを感じるのを回避することができる。
【図面の簡単な説明】
【０００９】
【図１】本発明の第１実施形態に係る表示装置としての画像形成装置の主要内部構成を概略的に示した機能ブロック図である。
【図２】（Ａ）、（Ｂ）は、表示部の表示画面に表示される操作画像の一例を示した図である。
【図３】表示部の表示画面に表示される画像切り換えの一例を示した図である。
【図４】各アイコンに付与されている順番を説明するための説明図である。
【図５】表示部の表示画面に表示される画像切り換えの一例を示した図である。
【図６】第１実施形態に係る表示装置としての画像形成装置における制御ユニットで行われる処理の一例を示したフローチャートである。
【図７】第１実施形態に係る表示装置としての画像形成装置における制御ユニットで行われる処理の一例を示したフローチャートである。
【図８】表示部の表示画面に表示される画像切り換えの一例を示した図である。
【図９】表示部の表示画面に表示される画像切り換えの一例を示した図である。
【発明を実施するための形態】
【００１０】
以下、本発明の一実施形態に係る表示装置及び表示制御プログラムについて図面を参照して説明する。図１は、本発明の第１実施形態に係る表示装置としての画像形成装置の主要内部構成を概略的に示した機能ブロック図である。
【００１１】
第１実施形態に係る表示装置は、例えば、画像形成装置１である。画像形成装置１は、例えば、コピー機能、プリンター機能、スキャナー機能、及びファクシミリ機能のような複数の機能を兼ね備える。画像形成装置１は、制御ユニット１０、原稿給送部６、原稿読取部５、画像形成部１２、定着部１３、給紙部１４、ＨＤＤ９２及び操作部４７を備える。
【００１２】
画像形成装置１で原稿読取動作が行われる場合について説明する。原稿給送部６により搬送されてきた原稿、又はプラテンガラスに載置された原稿の画像を、原稿読取部５が光学的に読み取り、そして画像データを生成する。原稿読取部５により生成された画像データは、図略の画像メモリー等に保存される。
【００１３】
画像形成装置１で画像形成動作が行われる場合について説明する。原稿読取動作により生成された画像データや、ネットワーク接続された外部装置としてのコンピューターから受信した画像データ等に基づいて、画像形成部１２が、給紙部１４から給紙される記録媒体としての記録紙に画像を形成する。
【００１４】
定着部１３は、熱圧着によりトナー像を記録紙に定着させるものであり、定着処理が施された記録紙は排出トレイに排出される。給紙部１４は、給紙カセットを備える。
【００１５】
操作部４７は、画像形成装置１が実行可能な各種動作及び処理について、操作者から、画像形成動作実行指示等の指示を受け付ける。操作部４７は、操作者への操作案内等を表示する表示部４７３を備えている。表示部４７３は、表示画面への物体（例えば、ユーザーの指）の近接及び接触を検知するタッチパネル機能を備えており、ユーザーの指が表示画面に近接又は接触されると、その近接位置又は接触位置を示す信号を制御ユニット１０へ送り、表示制御部１０１（後述）は、当該信号に基づいて、表示部４７３の表示画面を切り換える。これにより、操作者は画面表示されるアイコンやボタン、キーに指を近付けたり、触れたりすることで画像形成装置１を操作することができる。
【００１６】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro Processing Unit）等である。制御ユニット１０は、制御部１００と、表示制御部１０１と、操作受付部１０２とを備えている。
【００１７】
制御ユニット１０は、ＨＤＤ９２に記憶されている、本発明の一実施形態に係る表示制御プログラム等に従った動作により、制御部１００、表示制御部１０１、及び操作受付部１０２として機能する。但し、制御部１００等は、制御ユニット１０による表示制御プログラムなどに従った動作によらず、それぞれハードウェア回路により構成することも可能である。以下、特に触れない限り、各実施形態について同様である。
【００１８】
制御部１００は、画像形成装置１の全体的な動作制御を司る。制御部１００は、原稿給送部６、原稿読取部５、画像形成部１２、定着部１３、給紙部１４、及び操作部４７と接続され、これら各部の駆動制御等を行う。
【００１９】
表示制御部１０１は、表示部４７３の表示制御を行う。例えば、表示制御部１０１は、ＨＤＤ９２に記憶されているアイコンを示す画像（以下、単にアイコンという）を読み出し、読み出した複数のアイコンが配置された操作画像（例えば、図２（Ａ）（Ｂ）に示す操作画像ＤＡ１，ＤＡ２）を表示部４７３の表示画面４７３０に表示させる。図２（Ａ）（Ｂ）は、表示部４７３の表示画面４７３０に表示される操作画像の一例を示した図であり、図２（Ａ）に示す操作画像ＤＡ１には、複数のアイコンＡ１〜Ａ８が配置され、図２（Ｂ）に示す操作画像ＤＡ２には、異なる複数のアイコンＡ９〜Ａ１６が配置されている。
【００２０】
操作受付部１０２は、ユーザーにより操作部４７に入力されたユーザー操作を受け付ける。操作部４７としての表示部４７３は、上記したように、タッチパネル機能を備え、このタッチパネル機能により、ユーザーによる表示部４７３の表示画面４７３０への近接及び接触が、ユーザー操作として入力され、操作受付部１０２は、当該ユーザー操作を受け付ける。
【００２１】
例えば、表示画面４７３０への指の近接や、表示画面４７３０へ指を近接させた状態で行われた空中での指のスライド移動、表示画面４７３０を指で一回叩く行為（タップ操作）、表示画面４７３０を指で素早く払うような行為（フリック操作）等のジェスチャー操作が、ユーザー操作として、操作受付部１０２に受け付けられる。
【００２２】
表示制御部１０１は、操作受付部１０２が表示画面４７３０に表示されているアイコンへ物体を近接させるユーザー操作を受け付けてから、当該近接した状態が予め定められた時間Ｔ１（例えば、２秒）継続すると、ＨＤＤ９２に記憶されている当該アイコンの持つ機能を説明する説明文のテキストデータを読み出し、当該アイコン及び当該アイコンの持つ機能を説明する説明文を示す説明画像（アイコンの持つ機能を説明する画像。例えば、図３に示す説明画像ＤＢ１，ＤＢ２）を表示画面４７３０の全体に表示する。
【００２３】
図３は、表示部４７３の表示画面４７３０に表示される画像切り換えの一例を示した図である。図３の左上に示した操作画像ＤＡ１には、複数のアイコンＡ１〜Ａ８が配置されており、操作画像ＤＡ１に表示されているアイコンＡ１にユーザーが指を近接させ、近接した状態が予め定められた時間Ｔ１継続すると、表示制御部１０１により、アイコンＡ１及びアイコンＡ１の持つ機能を説明する説明文Ｅ１を有する説明画像ＤＢ１が、表示画面４７３０の全体に表示される。
【００２４】
また、操作画像ＤＡ１に表示されているアイコンＡ３にユーザーが指を近接させ、近接した状態が予め定められた時間Ｔ１継続すると、アイコンＡ３及びアイコンＡ３の持つ機能を説明する説明文Ｅ３を有する説明画像ＤＢ２が、表示制御部１０１により、表示画面４７３０の全体に表示される。
【００２５】
操作受付部１０２は、表示画面４７３０に表示されている説明画像（例えば、説明画像ＤＢ１）が有するアイコンとは別のアイコン及び当該別のアイコンの持つ機能を説明する説明文を有する説明画像への表示切り換えを指示するユーザー操作を受け付ける。なお、当該ユーザー操作としては、表示部４７３の表示画面に表示される説明画像に物体（例えば、ユーザーの指等）を近接させた状態で、当該物体を空中でスライド移動させることが挙げられる。
【００２６】
操作受付部１０２が、当該ユーザー操作を受け付けると、表示制御部１０１は、当該表示切り換えを行い、説明画像の表示を順次切り換える。具体例としては、各アイコンには順番が事前に付与されており、表示制御部１０１は、操作受付部１０２により受け付けられるスライド移動の方向に応じて、表示画面４７３０に現時点で表示されている説明画像が有するアイコンよりも順番が１つ前又は１つ後のアイコン及び当該アイコンの持つ機能を説明する説明文のテキストデータをＨＤＤ９２から読み出し、当該アイコン及び当該アイコンの持つ機能を説明する説明文を有する説明画像を表示画面４７３０の全体に表示する。これにより、表示制御部１０１は、画像形成装置１に記憶されている全てのアイコンに対する説明画像を循環的に順次切り換えて表示させる。
【００２７】
なお、これ以降、図４に示すように、Ｍ番のアイコンＡ７の１つ後がＭ＋１番のアイコンＡ１２、更にその１つ後がＭ＋２番のアイコンＡ１、更にその１つ後がＭ＋３番のアイコンＡ１４、更にその１つ後がＭ＋４番のアイコンＡ１０、そして更にその１つ後がＭ＋５番のアイコンＡ１１となるように、各アイコンに順番が付与されているものとして説明する。
【００２８】
例えば、説明画像ＤＢ１（図３）に指を近接させた状態で、その指をユーザーが空中で左方向にスライド移動させると、アイコンＡ１よりも順番が１つ後のアイコンＡ１４及びアイコンＡ１４の機能を説明する説明文Ｅ１４を有する説明画像ＤＢ３が、表示制御部１０１により、表示画面４７３０の全体に表示される。そして、説明画像ＤＢ３に指を近接させた状態で、その指をユーザーが空中で左方向にスライド移動させると、アイコンＡ１４よりも順番が１つ後のアイコンＡ１０及びアイコンＡ１０の持つ機能の説明を有する説明文Ｅ１０を有する説明画像ＤＢ４が、表示制御部１０１により、表示画面４７３０の全体に表示される。
【００２９】
一方、説明画像ＤＢ１に指を近接させた状態で、その指をユーザーが空中で右方向（つまり、左方向を順方向とすると、順方向とは逆方向）にスライド移動させると、アイコンＡ１よりも順番が１つ前のアイコンＡ１２及びアイコンＡ１２の持つ機能を説明する説明文Ｅ１２を有する説明画像ＤＢ５が、表示制御部１０１により、表示画面４７３０の全体に表示される。そして、説明画像ＤＢ５に指を近接させた状態で、その指をユーザーが空中で左方向（つまり、順方向）にスライド移動させると、アイコンＡ１２よりも順番が１つ後のアイコンＡ１及びアイコンＡ１の持つ機能を説明する説明文Ｅ１を有する説明画像ＤＢ１が、表示制御部１０１により、表示画面４７３０の全体に再度表示される。
【００３０】
説明画像（例えば、説明画像ＤＢ３）が表示画面４７３０に表示されている状態で、操作受付部１０２が説明画像の有するアイコン（例えば、アイコンＡ１４）に対する予め定められた第１操作（例えば、長押し）を受け付けると、制御部１００は、ＨＤＤ９２に記憶されている当該アイコンに対応付けられているプログラムを読み出し、当該アイコンの持つ機能を実行する。
【００３１】
一方、説明画像（例えば、説明画像ＤＢ３）が表示画面４７３０に表示されている状態で、操作受付部１０２が説明画像の有するアイコン（例えば、アイコンＡ１４）に対する予め定められた第２操作（例えば、タップ操作）を受け付けると、表示制御部１０１は、表示画面４７３０の表示を当該アイコンが配置された操作画像（例えば、図２に示す操作画像ＤＡ２）に切り換えさせると共に、当該切り換えの過程を示す画像をアニメーション表示させる。そして、表示制御部１０１による当該切り換えの完了後、制御部１００は、ＨＤＤ９２に記憶されている当該アイコンに対応付けられたプログラムを読み出し、当該アイコンの持つ機能を実行する。
【００３２】
図５は、表示部４７３の表示画面４７３０に表示される画像切り換えの一例を示した図である。図５の左上に示した説明画像ＤＢ３に表示されているアイコンＡ１４に対して長押しが行われて操作受付部１０２に受け付けられると、制御部１００により、アイコンＡ１４の持つ機能が直ちに実行される。
【００３３】
一方、説明画像ＤＢ３に表示されているアイコンＡ１４に対してタップ操作が行われて操作受付部１０２に受け付けられると、アイコンＡ１４が配置された操作画像ＤＡ２が、表示制御部１０１により表示画面４７３０に表示され、その後、制御部１００によりアイコンＡ１４の持つ機能が実行される。なお、表示制御部１０１は、操作画像ＤＡ２への画像切り換えを瞬時に行うのではなく、操作画像ＤＡ１が表示画面４７３０に一旦表示されるなどして、切り換えの過程を示す画像をアニメーション表示させる。
【００３４】
次に、第１実施形態に係る表示装置としての画像形成装置１の制御ユニット１０で行われる処理の一例について、図６及び図７に示したフローチャートに基づいて説明する。なお、この処理は、表示部４７３の表示画面４７３０に操作画像（例えば、図３に示す操作画像ＤＡ１）が表示されているときに行われる。
【００３５】
操作受付部１０２により、表示画面４７３０に対する物体の近接のユーザー操作を受け付けられると（Ｓ１でＹＥＳ）、表示制御部１０１は、操作部４７から供給された操作情報から、物体の近接位置を示す座標を取得し（Ｓ２）、取得した座標に基づいて、物体の近接位置にアイコンが配置されているか否かを判断する（Ｓ３）。
【００３６】
表示制御部１０１は、物体の近接位置にアイコンが配置されていると判断した場合（Ｓ３でＹＥＳ）、操作受付部１０２が表示画面４７３０に対する物体の近接を受け付けた時点から、当該近接した状態が予め定められた時間Ｔ１継続したか否かを判断する（Ｓ４）。一方、表示制御部１０１が、物体の近接位置にアイコンが配置されていないと判断した場合（Ｓ３でＮＯ）、処理はＳ１に戻る。
【００３７】
表示制御部１０１は、当該近接した状態が予め定められた時間Ｔ１継続したと判断した場合（Ｓ４でＹＥＳ）、ＨＤＤ９２に記憶されている当該アイコンの持つ機能を説明する説明文のテキストデータを読み出し（Ｓ５）、表示画面４７３０に現時点で表示されている内容をＨＤＤ９２に記憶させ（Ｓ６）、その後、当該アイコン及び当該アイコンの持つ機能を説明する説明文を有する説明画像（例えば、図３に示した説明画像ＤＢ１）を表示画面４７３０の全体に表示させる（Ｓ７）。この後、処理はＳ２１（図７）へ移る。
【００３８】
一方、表示制御部１０１が、当該近接した状態が予め定められた時間Ｔ１継続しなかったと判断した場合（Ｓ４でＮＯ）、処理はＳ１に戻る。つまり、予め定められた時間Ｔ１経過するまでに、操作受付部１０２が表示画面４７３０への物体の近接を受け付けなくなった場合（すなわち、表示画面４７３０から物体が離間した場合や表示画面４７３０へ物体が接触した場合）、処理はＳ５へ進まず、Ｓ１に戻る。
【００３９】
また、Ｓ１において、表示制御部１０１が、操作受付部１０２により表示画面４７３０に対する物体の近接が受け付けられていないと判断した場合（Ｓ１でＮＯ）、表示制御部１０１は、操作受付部１０２により表示画面４７３０に対する物体の接触のユーザー操作が受け付けられたか否かを判断する（Ｓ８）。
【００４０】
表示制御部１０１は、操作受付部１０２により表示画面４７３０に対する物体の接触が受け付けられたと判断した場合（Ｓ８でＹＥＳ）、操作部４７から送られてくる操作情報に基づいて、物体の接触位置を示す座標を取得し（Ｓ９）、取得した座標に基づいて、物体の接触位置にアイコンが配置されているか否かを判断する（Ｓ１０）。
【００４１】
表示制御部１０１が、物体の接触位置にアイコンが配置されていると判断した場合（Ｓ１０でＹＥＳ）、制御部１００は、ＨＤＤ９２に記憶されている当該アイコンに対応付けられたプログラムを読み出し、当該アイコンの持つ機能を実行する（Ｓ１１）。この後、処理は終了する。一方、表示制御部１０１が、物体の接触位置にアイコンが配置されていないと判断した場合（Ｓ１０でＮＯ）、処理はＳ１に戻る。
【００４２】
図７に示すＳ２１において、表示制御部１０１は、操作受付部１０２が表示画面４７３０に対する物体の近接を受け付けているか否かを判断し（Ｓ２１）、操作受付部１０２が表示画面４７３０に対する物体の近接を受け付けていると判断した場合（Ｓ２１でＹＥＳ）、操作部４７から供給された操作情報から、物体の近接位置を示す座標を取得する（Ｓ２２）。表示制御部１０１は、取得した座標（直近に取得した座標も含め）に基づいて、物体が空中で左右いずれかの方向にスライド移動したか否かを判断する（Ｓ２３）。例えば、左右いずれかの方向に予め定められた大きさ以上の座標（上記近接位置を示す座標）の変化があった場合、表示制御部１０１は、物体が空中でスライド移動したと判断する。
【００４３】
表示制御部１０１は、物体が空中でスライド移動したと判断した場合（Ｓ２３でＹＥＳ）、更にスライド移動した方向が左右のいずれの方向であるかを判断する（Ｓ２４）。表示制御部１０１は、スライド移動が左方向であると判断した場合（Ｓ２４で左方向）、表示画面４７３０に現時点で表示されている説明画像が有するアイコンよりも順番が１つ後のアイコンの持つ機能を説明する説明文のテキストデータをＨＤＤ９２から読み出し（Ｓ２５）、当該アイコン及び当該アイコンの持つ機能を説明する説明文を有する説明画像（例えば、図３に示した説明画像ＤＢ３）を表示画面４７３０の全体に表示させる（Ｓ２６）。この後、処理はＳ２１へ戻る。
【００４４】
一方、表示制御部１０１が、スライド移動は右方向（つまり、左方向を順方向とすると、順方向とは逆方向）であると判断した場合（Ｓ２４で右方向）、表示画面４７３０に表示されている説明画像が有するアイコンよりも順番が１つ前のアイコンの持つ機能を説明する説明文のテキストデータをＨＤＤ９２から読み出し（Ｓ２７）、当該アイコン及び当該アイコンの持つ機能を説明する説明文を有する説明画像（例えば、図３に示した説明画像ＤＢ５）を表示画面４７３０の全体に表示させる（Ｓ２６）。この後、処理はＳ２１へ戻る。
【００４５】
また、Ｓ２３において、表示制御部１０１が、物体が空中でスライド移動していないと判断した場合は（Ｓ２３でＮＯ）、処理はＳ２１へ戻る。
【００４６】
Ｓ２１において、表示制御部１０１が、操作受付部１０２が表示画面４７３０に対する物体の近接を受け付けていないと判断した場合（Ｓ２１でＮＯ）、表示制御部１０１は、操作受付部１０２が表示画面４７３０に対する物体の接触のユーザー操作を受け付けたか否かを判断する（Ｓ２８）。
【００４７】
表示制御部１０１は、操作受付部１０２が表示画面４７３０に対する物体の接触のユーザー操作を受け付けたと判断した場合（Ｓ２８でＹＥＳ）、操作部４７から送られてくる操作情報に基づいて、物体の接触位置を示す座標を取得し（Ｓ２９）、取得した座標に基づいて、物体の接触位置にアイコンが配置されているか否かを判断する（Ｓ３０）。
【００４８】
表示制御部１０１が、物体の接触位置にアイコンが配置されていると判断した場合（Ｓ３０でＹＥＳ）、制御部１００は、操作受付部１０２が受け付けたユーザー操作が予め定められた第１操作（例えば、長押し）、予め定められた第２操作（例えば、タップ操作）のいずれであるかを判断する（Ｓ３１）。
【００４９】
制御部１００は、操作受付部１０２が受け付けたユーザー操作が予め定められた第１操作であると判断した場合（Ｓ３１で長押し）、ＨＤＤ９２に記憶されている当該アイコンに対応付けられたプログラムを読み出し、当該アイコンの持つ機能を実行する（Ｓ３２）。この後、処理は終了する。
【００５０】
一方、制御部１００が、操作受付部１０２により受け付けられたユーザー操作が予め定められた第２操作であると判断した場合（Ｓ３１でタップ）、表示制御部１０１は、表示画面４７３０の表示を当該アイコンが配置された操作画像（例えば、図５に示した操作画像ＤＡ２）に切り換え、更に、図５の右側に示すように、当該切り換えの過程を示す画像をアニメーション表示させる（Ｓ３３）。表示制御部１０１による当該切り換えの完了後、制御部１００は、ＨＤＤ９２に記憶されている当該アイコンに対応付けられたプログラムを読み出し、当該アイコンの持つ機能を実行する（Ｓ３２）。この後、処理は終了する。
【００５１】
また、Ｓ２８において、表示制御部１０１が、操作受付部１０２が表示画面４７３０に対する物体の接触のユーザー操作を受け付けていないと判断した場合（Ｓ２８でＮＯ）、表示画面４７３０から物体が離れたことになるので、表示制御部１０１は、Ｓ７（図６）で記憶した表示切り換え前の状態に表示画面４７３０の表示を戻す（Ｓ３４）。この後、処理はＳ１（図６）へ戻る。
【００５２】
この第１実施形態によれば、アイコンの持つ機能を説明する説明文を有する説明画像が表示画面４７３０の全体に表示されるので、説明文を表示する領域は比較的広い。そのため、表示画面４７３０上の表示が煩雑になることなく、アイコンの持つ機能の詳細な説明を実現することが可能となる。また、アイコンへ物体（例えば、ユーザーの指）を近接させる度に、説明画像への表示切り換えが行われると、使い慣れたユーザーは煩わしいと感じる可能性があるが、当該表示切り換えは、アイコンへ物体を近接させるだけではなく、当該近接した状態を予め定められた時間Ｔ１継続させたときに行われるので、当該表示切り換えによってユーザーが煩わしさを感じるのを回避することができる。
【００５３】
また、上記の特許文献１に記載された発明では、表示画面４７３０に現在表示されていないアイコンの持つ機能を知るには、当該アイコンが配置されている操作画像を表示画面４７３０に一旦表示させる必要があるため、目的のアイコンが配置されている操作画像を表示画面４７３０に表示させるのは面倒である。また、目的のアイコンが配置されている場所をユーザーが知らなければ、その場所に辿り着くのは簡単ではない。特に、複合機やスマートフォン等のように、操作画像（表示画面）が階層をなしていて、各階層の操作画像にアイコンが点在していると、目的のアイコンが配置されている操作画像に辿り着くのは難しい場合がある。
【００５４】
これに対して、上記第１実施形態では、全てのアイコンに対する説明画像を循環的に順次切り換えさせることが可能であるので、目的のアイコンが配置されている操作画像を表示画面４７３０に表示させなくても、ユーザーは、目的のアイコンの持つ機能を知ることが可能となる。よって、操作効率を向上させることができる。
【００５５】
また、上記第１実施形態では、ユーザーが説明画像の有するアイコンに触れる（例えば、長押しやタップ）ことで、当該アイコンの持つ機能が実行される。すなわち、目的のアイコンが配置されている操作画像を表示画面４７３０に表示させなくても、説明画像に対する操作により、目的のアイコンの持つ機能を実行させることができるので、非常に使い勝手がよくなる。
【００５６】
さらには、アイコンに対してタップ操作が行われた場合は、アニメーション表示によって、目的のアイコンが配置された操作画像が表示画面４７３０に一旦表示されてから、目的のアイコンの持つ機能が実行されるので、ユーザーは目的のアイコンが配置されている場所を的確に知ることができる。よって、次回以降の操作効率を向上させることができる。
【００５７】
また、別の実施形態として、図８に示すように、表示制御部１０１は、各アイコンに付与された順番に従って、上記順方向及び逆方向それぞれの切り換え先となるアイコン及び当該アイコンの名称をＨＤＤ９２から読み出して、切り換え先となるアイコン及び当該アイコンの名称を有する説明画像を、切り換える前の表示画面４７３０に表示するようにしてもよい。例えば、説明画像ＤＢ１１の右端には、順方向にスライド移動させたときの切り換え先となる、アイコンＡ１よりも順番が１つ後のアイコンＡ１４及びその名称Ｎ１４が表示され、説明画像ＤＢ１１の左端には、アイコンＡ１よりも順番が１つ前のアイコンＡ１２及びその名称Ｎ１２が表示制御部１０１により表示される。
【００５８】
同様に、説明画像ＤＢ１３，ＤＢ１４，ＤＢ１５の右端にはそれぞれ、アイコンＡ１０及びその名称Ｎ１０、アイコンＡ１１及びその名称Ｎ１１、アイコンＡ１及びその名称Ｎ１が表示され、説明画像ＤＢ１３，ＤＢ１４，ＤＢ１５の左端にはそれぞれ、アイコンＡ１及びその名称Ｎ１、アイコンＡ１４及びその名称Ｎ１４、アイコンＡ７及びその名称Ｎ７が表示制御部１０１により表示される。
【００５９】
また、更なる別の実施形態として、表示制御部１０１は、説明画像（例えば、図３に示した説明画像ＤＢ１）の表示を指示するユーザー操作を受け付けたとき、この時点で表示画面４７３０に表示させていた操作画像（例えば、図３に示した操作画像ＤＡ１）を透過表示にして、ユーザーにとって当該操作画像の下から説明画像が透けて見えるようにし、当該操作画像と説明画像とを表示画面４７３０に同時に表示させるようにしてもよい。なお、表示画面４７３０上における表示が煩雑にならないように、操作画像については透明度（透過度）が高い方が好ましい。
【００６０】
また、上記第１実施形態では、表示画面４７３０に表示されている説明画像が有するアイコンとは別のアイコン及び当該別のアイコンの持つ機能を説明する説明文を有する説明画像への表示切り換えを指示するユーザー操作として、説明画像に物体を近接させた状態で、当該物体を空中でスライド移動させる場合について説明しているが、第２実施形態では、当該ユーザー操作は、説明画像へ物体を接触させたまま移動させること（例えば、左右方向へのフリック操作）であってもよい。
【００６１】
例えば、操作受付部１０２が、説明画ＤＢ１（図３）が表示されている表示画面４７３０で左方向へのフリック操作を受け付けると、表示制御部１０１が、説明画像ＤＢ３（図３）を表示し、操作受付部１０２が、説明画ＤＢ１が表示されている表示画面４７３０で右方向へのフリック操作を受け付けると、表示制御部１０１が、説明画像ＤＢ５（図３）を表示するようにしてもよい。
【００６２】
更なる他の実施形態を説明する。操作受付部１０２は、当該ユーザー操作として、表示制御部１０１により表示される第１指示ボタンＢ１（図９に示す右矢印）又は第２指示ボタンＢ２（図９に示す左矢印）に対する操作を受け付ける。例えば、図９に示すように、表示制御部１０１は、説明画像の順方向への表示の切り換えを指示する第１指示ボタンＢ１及び説明画像の当該順方向とは逆方向への表示の切り換えを指示する第２指示ボタンＢ２を有する説明画像（例えば、説明画像ＤＢ２１）を表示画面４７３０に表示させる。また、表示制御部１０は、表示画面４７３０に説明画像ＤＢ２１が表示されている状態で、操作受付部１０２が第１指示ボタンＢ１へ物体を接触させる操作（例えば、タップ操作）を受け付けると、説明画像ＤＢ２３を表示させる。更に、表示制御部１０１は、説明画像ＤＢ２３が表示されている状態で、操作受付部１０２が第１指示ボタンＢ１へ物体を接触させる操作を受け付けると、説明画像ＤＢ２４を表示させる。
【００６３】
一方、表示画面４７３０に説明画像ＤＢ２１が表示されている状態で、操作受付部１０２が、第２指示ボタンＢ２へ物体を接触させる操作を受け付けると、表示制御部１０１は、説明画像ＤＢ２５を表示し、説明画像ＤＢ２５が表示されている状態で、操作受付部１０２が、第１指示ボタンＢ１へ物体を接触させる操作を受け付けると、表示制御部１０１は、説明画像ＤＢ２１を表示する。
【００６４】
本発明は上記実施の形態の構成に限られず種々の変形が可能である。例えば、上記実施形態では、本発明に係る表示装置の一実施形態として画像形成装置を用いて説明しているが、これは一例に過ぎず、本発明に係る表示装置は、表示部を備えた、スマートフォン等のモバイル機器や、他の電子機器でもよい。
【００６５】
また、上記実施形態では、図１乃至図９を用いて上記実施形態により示した構成及び処理は、本発明の一実施形態に過ぎず、本発明を当該構成及び処理に限定する趣旨ではない。
【符号の説明】
【００６６】
１        画像形成装置
１０      制御ユニット
１００    制御部
１０１    表示制御部
１０２    操作受付部
４７３    表示部
４７３０  表示画面
【図１】
2018206072.tif 000003
【図２】
2018206072.tif 000004
【図３】
2018206072.tif 000005
【図４】
2018206072.tif 000006
【図５】
2018206072.tif 000007
【図６】
2018206072.tif 000008
【図７】
2018206072.tif 000009
【図８】
2018206072.tif 000010
【図９】
2018206072.tif 000011